(57)【要約】【課題】  連動板を用いて施錠、解錠する障子の施錠機構において、障子を閉じなければ操作部で施錠できないようにする。【解決手段】  障子（１）には係合枠（１４）があり、障子枠（３）には、この係合枠（１４）に係合可能な係合ピン（１６）を有する連動板（６）が設けられている。この連動板（６）は、操作部本体（１０）のレバー（１１）で長手方向に移動可能であり、上記係合ピン（１６）が係合枠（１４）に係合する施錠位置と、係合ピン（１６）が係合枠（１４）から外れる解錠位置の間で移動する。上記連動板（６）が施錠位置にあるとき、上記係合ピン（１６）に係合するようストッパー（１８）を設けてある。このストッパー（１８）は、障子（１）を閉じるとき、上記係合枠（１４）に当って係合ピン（１６）から外れる位置に移動される。【選択図】      図１
2006022515.tif 000002
【特許請求の範囲】
【請求項１】
障子の開放端側に障子側係合部材を設け、障子枠に枠側係合部材を有する連動板を移動可能に設け、障子を閉じたとき操作部を介して上記連動板を施錠位置に移動して枠側係合部材を障子側係合部材に係合し、上記障子を開くとき上記連動板を解錠位置に移動して枠側係合部材と障子側係合部材の係合を外すようにした障子施錠機構において、上記連動板が解錠位置にあるとき上記枠側係合部材に係合するようストッパーを上記障子枠に設け、上記障子を閉じるとき上記ストッパーに障子が当って該ストッパーが枠側係合部材から外れる位置に移動するよう上記ストッパーを移動可能に設けたことを特徴とする障子施錠機構の誤操作防止装置。
【請求項２】
上記障子側係合部材は係合溝を有する係合枠であり、上記枠側係合部材は該係合溝に挿入可能な係合ピンである請求項１に記載の障子施錠機構の誤操作防止装置。
【請求項３】
上記係合ピンは、係合枠の内面側に入り込む拡大頭部を有する請求項２に記載の障子施錠機構の誤操作防止装置。
【請求項４】
上記ストッパーは、揺動可能に設けられ、上記枠側係合部材に係合する方向に付勢されている請求項１ないし３のいずれかに記載の障子施錠機構の誤操作防止装置。
【請求項５】
上記障子側係合部材、枠側係合部材及びストッパーは１つの障子に対して複数個設けられている請求項１ないし４のいずれかに記載の障子施錠機構の誤操作防止装置。
【発明の詳細な説明】
【技術分野】
【０００１】
本発明は、窓やドア等の障子の施錠機構に関し、特に該施錠機構の誤操作を防止できるようにした障子施錠機構の誤操作防止装置に係るものである。
【背景技術】
【０００２】
障子に障子側係合部材を設け、障子枠に枠側係合部材を有する連動板と該連動板を移動させる操作部を設けて障子を施錠できるようにした施錠機構が用いられている（例えば、特許文献１参照）。この機構によれば、障子を閉じたとき操作部を介して連動板を移動させると枠側係合部材が障子側係合部材に係合して施錠でき、障子を開くときは操作部により連動板を逆方向に移動させると上記枠側係合部材と障子側係合部材の係合が外れて解錠することができる。
【０００３】
通常、上記操作部はレバー等で構成され、該レバーは障子の位置に関係なく操作することができるので、障子が完全に閉じないうちに操作部を介して連動板を施錠位置に移動させることもできる。そのため、施錠のし忘れや施錠したと思っても実際には施錠されていないという誤操作を生じることもあった。上記特許文献１には、そのような誤操作を防止するための誤ロック防止手段が示されているが、この手段は、障子を施錠するための係合部材とは別に設けられ、移動部材（連動板）に切欠きを形成してこの切欠にストッパーに設けた後板状部を係合させる構造であり、障子を施錠するためにはカム、フック、カムフォロワ等の別部材を必要とするので構造が複雑となり、経済的に得ることができない。また、既存の施錠機構に後付けて組み込むこともできない。
【特許文献１】特開２００１−２７９９８３号公報（請求項３、（００４０）、（００４３）、図３〜図６）
【発明の開示】
【発明が解決しようとする課題】
【０００４】
本発明の解決課題は、連動板を用いた型式の障子の施錠機構において、簡単な構造で誤操作を防止でき、かつ既存の構造の施錠機構にも後付けできるようにした障子施錠機構の誤操作防止装置を提供することである。
【課題を解決するための手段】
【０００５】
本発明によれば、障子の開放端側に障子側係合部材を設け、障子枠に枠側係合部材を有する連動板を移動可能に設け、障子を閉じたとき操作部を介して上記連動板を施錠位置に移動して枠側係合部材を障子側係合部材に係合し、上記障子を開くとき上記連動板を解錠位置に移動して枠側係合部材と障子側係合部材の係合を外すようにした障子施錠機構において、上記連動板が解錠位置にあるとき上記枠側係合部材に係合するようストッパーを上記障子枠に設け、上記障子を閉じるとき上記ストッパーに障子が当って該ストッパーが枠側係合部材から外れる位置に移動するよう上記ストッパーを移動可能に設けたことを特徴とする障子施錠機構の誤操作防止装置が提供され、上記課題が解決される。
【発明の効果】
【０００６】
本発明は上記のように構成され、障子に障子側係合部材を設け、障子枠に枠側係合部材を有する連動板を移動可能に設け、該連動板を操作部で移動させて施錠、解錠する構造は従来の施錠機構と同様であり、この機構にさらに上記連動板が解錠位置にあるとき上記枠側係合部材に係合するようストッパーを上記障子枠に設け、上記障子を閉じるとき該障子に押されて上記ストッパーが枠側係合部材から外れる位置に移動するよう上記ストッパーを移動可能に設けたから、障子を閉じて上記ストッパーを外さなければ上記連動板を移動させることができない。したがって、施錠していないのに施錠したと思わせるような操作部の誤操作を防止することができる。その上、障子を施錠位置に保持する上記枠側係合部材を利用して該枠側係合部材に直接ストッパーを係合させるようにしたので、既存の施錠機構に後付けで組み込むことができ、構成が簡単で経済的に得ることができる。
【発明を実施するための最良の形態】
【０００７】
本発明は、障子を水平軸まわりに開閉する縦開き式や垂直軸まわりに開閉する横開き式のいずれの型式の障子にも適用することができるが、図１〜図３には横開き式の障子が示されており、該障子（１）の開放端側の側面には、図３に示すような障子側係合部材（２）が設けられている。
【０００８】
一方、障子枠（３）の縦枠には、上記障子側係合部材（２）に対向する部位に取付部材（４）が設けられている。この取付部材（４）には、上記障子側係合部材（２）に係合可能な枠側係合部材（５）を有する連動板（６）が摺動可能に装着され、該連動板（６）の裏面には上記取付部材（４）に弾性的に接するよう板ばね（７）（図２、破線）が設けられている。
【０００９】
上記連動板（６）には、連動ピン（８）が突設され、該連動ピン（８）を囲むカム面を有するカム板（９）が操作部本体（１０）に設けられている。このカム板（９）は、該操作部本体（１０）に枢着したレバー（１１）を回動することにより図において上下動し、連動板（６）を長手方向に移動させることができる。図に示す実施例の場合、該連動板（６）は障子枠（３）の縦枠に設けられているから、縦枠に沿って移動し、上昇したときが、上記障子側係合部材（２）と枠側係合部材（５）が係合する施錠位置となり（図１）、下降したときが上記障子側係合部材（２）と枠側係合部材（５）の係合が外れる解錠位置となり（図２）、障子枠の横枠に設けた場合は、連動板は左右動する。なお、そのような施錠機構は、広く知られているが、その詳細な構成については詳述しない。
【００１０】
上記障子側係合部材（２）は、図に示す実施例では、入口（１２）に続いて上下方向に延びる係合溝（１３）を形成した係合枠（１４）であり、該係合枠（１４）は、側方に屈曲する当接片（１５）を有している。上記枠側係合部材（５）は、上記入口（１２）から入って上記係合溝（１３）に挿入可能な直径を有する係合ピン（１６）で構成され、所望により該係合ピン（１６）の先端には係合枠（１４）の内面側に入り込んで抜け止め作用を奏する拡大頭部（１７）を設けることができる。なお、障子側係合部材（２）を係合ピンとし、枠側係合部材（５）を係合枠としたり、その他の適宜の構造の係合部材を用いることができる。
【００１１】
上記障子枠（３）には、ストッパー（１８）が設けられている。該ストッパー（１８）は、上記枠側係合部材（５）、すなわち係合ピン（１６）に係合可能な係合面（１９）と図１において手前側に立ち上る当接板（２０）を有し、上記障子枠（３）にねじ等で取り付けられるストッパー本体（２１）の軸（２２）に揺動可能に枢着されている。該軸（２２）には、ばね（２３）を装着してあり、該ばね（２３）の一端（２４）は、上記ストッパー本体（２１）に形成したばね受部（２５）に当接し、他端（２６）は上記ストッパー（１８）に形成した屈曲片（２７）に当接し、上記ストッパー（１８）の上記当接板（２０）が上記連動板（６）方向へ向うようにストッパーを付勢している。なお、該ストッパー（１８）の連動板（６）方向への移動は、該ストッパー（１８）に形成した止片（２８）がストッパー本体（２１）に設けた段部（２９）に当る位置で阻止される。また、ストッパーの上記係合面（１９）の形状は、障子が当ることにより、枠側係合部材から外れるような枠側係合部材の構造に対応した種々の形状に変更することができる。
【００１２】
上記の構成により、図２に示すように障子が開いていて上記連動板（６）が解錠位置にあるとき、上記係合ピン（１６）にはストッパー（１８）の係合面（１９）が係合している。したがって上記操作部本体（１０）のレバー（１１）を回動させようとしても、上記連動板（６）の上方への移動が拘束されているから、該レバー（１１）を回動させることができない。
【００１３】
障子（１）を閉じると、図１に示すように、障子に設けた係合枠（１４）の当接片（１５）がストッパー（１８）の当接板（２０）に当り、該ストッパー（１８）は、ばね（２３）に抗して上記連動板（６）から離れる方向に後退し、上記係合面（１９）は係合ピン（１６）から外れる。したがって、上記操作部本体（１０）のレバー（１１）を回動して上記連動板（６）を上方へ移動させることができる。障子を閉じた際上記係合ピン（１６）は上記係合枠（１４）の入口（１２）に入っているから、連動板（６）が上昇することにより係合溝（１３）内に挿入され、障子（１）は施錠される（図１）。
【００１４】
障子（１）を開くには、上記操作部本体（１０）のレバー（１１）を逆方向に回動して、上記連動板（６）を、図１において下方へ移動し、係合ピン（１６）を係合枠（１４）の入口（１２）に対向させた後、上記障子（１）を回動させればよい。該障子（１）が回動することにより、上記係合枠（１４）の当接片（１５）に当っていたストッパー（１８）は、ばね（２３）の作用で連動板（６）方向へ回動し、係合面（１９）が上記係合ピン（１６）に係合して連動板（６）の移動を拘束する（図２）。
【００１５】
なお、上記ストッパー（１８）は、軸（２２）に揺動可能に設けてあるが、障子により押されたとき連動板（６）に対して横方向に移動したり、上下動して係合が外れるようにしてもよい。また、図に示す実施例では、図において連動板（６）が上昇したとき施錠し、降下したとき解錠するよう構成してあるが、上記障子側係合部材と枠側係合部材の構造により、上昇したときに解錠し、降下したときに施錠するよう構成することもでき、上記係合部材やストッパーを１つの障子に対して複数個所に設け連動板で連動させることもできる。
【図面の簡単な説明】
【００１６】
【図１】本発明の一実施例を示し、施錠状態の説明図。
【図２】解錠状態の説明図。
【図３】障子に設けた障子側係合部材の正面図。
【符号の説明】
【００１７】
１    障子
２    障子側係合部材
３    障子枠
５    枠側係合部材
６    連動板
１０    操作部本体
１１    レバー
１４    係合枠
１５    当接片
１６    係合ピン
１８    ストッパー
１９    係合面
２０    当接板
２１    ストッパー本体
【図１】
2006022515.tif 000003
【図２】
2006022515.tif 000004
【図３】
2006022515.tif 000005